(57)【要約】      （修正有）【課題】正確な同期動作を実行することができ、所望のディフェクト対応処理が可能な光ディスク装置用同期回路を提供する。【解決手段】光ディスクの再生信号に基づいて同期動作を実行する回路であって、ディフェクト信号検出回路からのディフェクト信号について、再生信号の回復に応じたタイミングを検出する再生信号回復タイミング検出回路と、立ち下がりのタイミングからフレーム同期信号を計数する遅延カウンタ５２Ｐと、遅延カウンタによるフレーム同期信号のカウント数が所定の遅延カウント数に達したか否かを判断する遅延判断回路５２ｇと、同期信号のカウント数が所定の遅延カウント数に達した旨を遅延判断回路から受けると、同期動作を開始する回路とを備える。【選択図】図２
2005038456.tif 000002
【特許請求の範囲】
【請求項１】
光ディスクの再生信号に基づいて同期動作を実行する回路であって、
ディフェクト信号検出回路からのディフェクト信号について、前記再生信号の回復に応じたタイミングを検出する再生信号回復タイミング検出回路と、
前記立ち下がりのタイミングから前記フレーム同期信号を計数する遅延カウンタと、
前記遅延カウンタによる前記フレーム同期信号のカウント数が所定の遅延カウント数に達したか否かを判断する遅延判断回路と、
前記同期信号のカウント数が所定の遅延カウント数に達した旨を前記遅延判断回路から受けると、前記同期動作を開始する回路と、
を備えることを特徴とする光ディスク装置用同期回路。
【請求項２】
請求項１に記載の光ディスク装置用同期回路を備えることを特徴とする光ディスク再生装置。
【請求項３】
光ディスクの再生信号に基づいて同期動作を実行する方法であって、
ディフェクト信号検出回路からのディフェクト信号について、前記再生信号の回復に応じたタイミングを検出し、
前記立ち下がりのタイミングから前記フレーム同期信号を計数し、
前記遅延カウンタによる前記フレーム同期信号のカウント数が所定の遅延カウント数に達したか否かを判断し、
前記同期信号のカウント数が所定の遅延カウント数に達すると前記同期動作を開始する、
ことを特徴とする光ディスク装置の同期方法。
【発明の詳細な説明】
【０００１】
【発明の属する技術分野】
本発明は、光ディスク装置用同期回路、光ディスク再生装置、及び光ディスク装置の同期方法に関する。
【０００２】
【従来の技術】
各種記録媒体及びそれらに対応する記録再生装置が開発されており、コンパクトディスク（ＣＤ）システム、ミニディスク（ＭＤ）システム、ＤＶＤ（Ｄｉｇｉｔａｌ  Ｖｉｄｅｏ  Ｄｉｓｃ／Ｄｉｇｉｔａｌ  Ｖｅｒｓａｔｉｌｅ  Ｄｉｓｃ）システム等が知られている。このようなディスクシステムでの記録再生装置では、ディスク上の傷や汚れにより再生動作や再生音の品質に不具合が生じないよう、ディフェクト信号検出回路（あるいは、単に「ディフェクト回路」とも称される）が設けられている（例えば、特許文献１参照。）。特許文献１の図１及び図７に示されるように、ディフェクト信号検出回路では、光学ヘッドによってディスクから得られた情報を用い、ディスク上の傷、汚れなどの物理的欠陥や、記録時の動作エラー等による記録データの欠落（以後、総じて「ディフェクト」と称する。）を検出する。その検出の結果を示す信号としてディフェクト信号が出力され、このディフェクト信号に基づき、例えば再生信号処理を行うデコーダやサーボ系回路において所定のディフェクト対応処理が実行される。これにより、再生音声のとぎれや、サーボ動作の不良発生を防止する。
【０００３】
前記のディフェクト対応処理を実行するにあたり、ディフェクト信号検出回路は、特許文献１の図９に示されるように、ディフェクトによって生じる再生ＲＦ信号の喪失（欠落）の期間中において、例えば”ＨＩＧＨ”のディフェクト信号を同期検出回路へ出力する。このことにより、同期検出回路は、ディフェクト信号が出力されている期間において、フレーム同期信号の検出を禁止し、ディフェクト信号が出力されなくなるとフレーム同期信号の検出を再開する。
【０００４】
【特許文献１】特開平１０−２０８２４４号公報  （図１及び図７）
【０００５】
【発明が解決しようとする課題】
しかしながら、従来の同期検出回路にあっては、”ＨＩＧＨ”のディフェクト信号が立ち下がってから若干の期間において、再生ＲＦ信号は完全に回復しておらず、過渡状態にある。この再生ＲＦ信号の過渡状態において、フレーム同期信号の検出を再開すると、本来の正確なフレーム同期信号が得られず、所望ののディフェクト対応処理ができなくなってしまうのである。
【０００６】
【課題を解決するための手段】
本発明に係る光ディスク装置用同期回路では、光ディスクの再生信号に基づいて同期動作を実行する回路であって、ディフェクト信号検出回路からのディフェクト信号について、前記再生信号の回復に応じたタイミングを検出する再生信号回復タイミング検出回路と、前記立ち下がりのタイミングから前記フレーム同期信号を計数する遅延カウンタと、前記遅延カウンタによる前記フレーム同期信号のカウント数が所定の遅延カウント数に達したか否かを判断する遅延判断回路と、前記同期信号のカウント数が所定の遅延カウント数に達した旨を前記遅延判断回路から受けると、前記同期動作を開始する回路とを備えることとする。
【０００７】
したがって、ディフェクト信号について、再生信号の回復に応じたタイミングから所定の遅延カウント数を経過した後、同期動作を開始する。したがって、正確な同期動作を実行でき、所望のディフェクト対応処理が可能となる。
【０００８】
【発明の実施の形態】
＝＝＝＝記録再生装置＝＝＝＝
まず、光ディスクの記録再生装置につき、図１のブロック図を参照して説明する。映像や音声のデータが記録されている光ディスク１０は、ディスクモータ（スピンドルモータ）２０で回転駆動されるとともに、記録／再生時に光ピックアップ３０によってレーザ光が照射される。ディスクモータ２０は、システム制御用ＣＰＵ７０の指令に基づくデジタルサーボ制御回路６０の制御の下、ドライバ８０でもって駆動される。光ピックアップ３０は、その反射光を検出してＲＦアンプ４０へ出力する。ＲＦアンプ４０は、光ピックアップ３０からの出力信号を増幅することにより再生信号を得る。再生信号は、イコライザ４１で波形等化されるとともに、信号処理回路５０のＰＬＬ５１を経て同期回路５２に出力される。同期回路５２は、入力された再生信号に基づき、データ系列とデータクロックを得てフレーム同期信号を生成する。すなわち、再生されたデータ系列の各フレームの先頭には所定のビット配列からなる同期パターン（ＤＶＤ規格では３２ビット）が付加されている。この同期パターンを検出することにより、同期信号が生成され、この同期信号を検出ウインドウで検出することにより、フレーム同期信号が生成される。同期回路５２で生成されたデータ系列は、ＥＦＭ復調回路５３に入力されて復調される。復調されたデータは、ＣＤ用誤り検出訂正回路５４ａあるいはＤＶＤ用誤り検出訂正回路５４ｂに送られ、バッファリングメモリ５５を用いてエラー訂正される。このエラー訂正されたデータは、ＡＶ  Ｉ／Ｆ回路５６を通じて外部へ出力される。これらの動作は、システム制御用ＣＰＵ７０によって制御される。
【０００９】
ところで、ピークホールド回路４２からのＰＨ（ピークホールド）信号がディフェクト信号検出回路９０に入力される。ディフェクト信号検出回路９０は、ディフェクト信号をデジタルサーボ６０、ＰＬＬ５１、及び同期回路５２に出力する。このディフェクト信号検出回路９０は、例えば、従来の技術の項で前述した特開平１０−２０８２４４号公報の図７や、特開平８−９６３６１号公報に記載されたものなど、様々な公知の構成のものを用いることができる。
【００１０】
＝＝＝＝同期回路＝＝＝＝
＜＜＜＜全般的な構成及び動作＞＞＞＞
同期回路５２の具体的な構成例を図２のブロック図に示す。便宜上、図１のピークホールド回路４２及びディフェクト信号検出回路９０も併せ、図２に記載されている。同期回路５２に入力される再生信号は、二値化回路５２ａに入力されてデータ系列が得られる。このデータ系列は、同期信号検出回路５２ｂに入力されて同期パターンが検出される。この同期パターンの検出により生成された同期信号は同期化判断回路５２ｃに送られる。同期化判断回路５２ｃでは、同期信号が連続して検出されたか否かが判断される。同期信号の連続検出数について、一致カウンタ５２ｊでの計数値が所定値に達すると、フルオープンから同期化状態へ遷移し、その旨を示す信号が同期化判断回路５２ｃからウインドウ保護回路５２ｄへ送られる。
【００１１】
このウインドウ保護回路５２ｄには、同期信号検出回路５２ｂからの同期信号も入力される。ウインドウ保護回路５２ｄには、検出ウインドウ生成回路５２ｅから検出ウインドウが送られてきており、この検出ウインドウ内に同期信号が存在する場合、この同期信号がフレーム同期信号とされる。検出ウインドウ生成回路５２ｅは、フレーム同期信号から所定のクロック数の経過後に、検出ウインドウを開始し、且つ、ウインドウ幅判断回路５２ｆから与えられる情報で規定される所定時間のみ検出ウインドウを持続する。したがって、前回のフレーム同期信号が前後にずれた場合には、次回の検出ウインドウの開始も前後にずれる。
【００１２】
このようにして生成されたフレーム同期信号は、同期信号生成回路５２ｇに送られる。同期信号生成回路５２ｇには、同期信号検出回路５２ｂからウインドウ保護回路５２ｄを介してデータ系列が送られてきている。同期信号生成回路５２ｇは、フレーム同期信号に基づきデータ系列から同期信号を生成し、後段のＥＦＭ復調回路５３に出力する。
【００１３】
また、この同期信号は、同期信号内挿回路５２ｈへ送られ、内挿カウンタ５２ｉによる内挿同期信号の生成に供される。この内挿同期信号とは、前回のフレーム同期信号から所定クロック経過後に生成される擬似的な同期信号である。この内挿同期信号は、同期信号生成回路５２ｇに送られ、同期信号が検出ウインドウ内に検出されない場合に、補償同期信号として用いられる。
【００１４】
これら内挿同期信号、同期信号、及びフレーム同期信号の相互の関係について説明する。検出ウインドウ内に同期信号が検出されない場合、内挿同期信号がフレーム同期信号として出力される。また、同期信号が内挿同期信号に先行して検出された場合、同期信号がフレーム同期信号として出力される。さらに、内挿同期信号がフレーム同期信号の検出に先行して入力された場合、内挿同期信号がフレーム同期信号として出力され、引き続いて、同期信号がフレーム同期信号として出力される。この場合、先に出力されたフレーム同期信号（内挿同期信号に基づく補償同期信号）は、後に出力されるフレーム同期信号（同期信号に基づく補償同期信号）によってリセットされる。
【００１５】
一方、ウインドウ保護回路５２ｄは、同期信号検出回路５２ｂからの同期信号が検出ウインドウ内に検出ウインドウに検出されない場合、その旨の情報を非検出回数カウンタ５２ｋに送って非検出回数を計数させる。反対に、同期信号検出回路５２ｂからの同期信号が検出ウインドウ内に検出ウインドウに検出された場合、その旨の情報を非検出回数カウンタ５２ｋに送ってカウントデータをリセットさせる。この非検出回数カウンタ５２ｋでカウントされる数値は、その都度、ウインドウ幅判断回路５２ｆに送られる。
【００１６】
ウインドウ幅判断回路５２ｆは、非検出回数カウンタ５２ｋから送られてくる数値について、判断基準テーブル５２ｌの基準データと比較し、その大小を比較する。つまり、非検出回数が所定の設定値に達したか否かを判定する。この判定の結果、非検出回数が所定の設定値に達した場合、この設定値に対応するウインドウ幅の情報が検出ウインドウ生成回路５２ｅに送られる。このことにより、検出ウインドウ生成回路５２ｅは、次回から、変更後の幅の検出ウインドウをウインドウ保護回路５２ｄに対して出力する。例えば、非検出回数が４回連続すると、５回目から検出ウインドウ幅を広げるように制御する。そして、さらに引き続いて非検出が連続した場合、この連続した非検出回数に応じ、検出ウインドウ幅を広げる制御が実行される。このような制御は、判断基準テーブル５２ｌ非検出回数と、これに対応する検出幅の情報を用意しておき、非検出カウンタ５２ｋからのカウント数と設定値（非検出回数値）とを比較し、双方が一致する場合、この一致した非検出回数に対応する検出ウインドウ幅の情報を検出ウインドウ生成回路５２ｅに送る。そして、検出ウインドウ生成回路５２ｅは、得られた幅の検出ウインドウを生成する。
【００１７】
なお、前記の設定値（非検出回数値）は、後段のＣＤ用誤り検出訂正回路５４ａあるいはＤＶＤ用誤り検出訂正回路５４ｂ（図１）の誤り訂正能力（ＤＶＤ規格では最大３２フレーム）を考慮して決定できる。また、この同期回路では、判断基準テーブル５２ｌの設定値を外部から入力可能に構成し、最適な値を適宜設定可能としている。
【００１８】
＜＜＜＜同期検出の遅延回路部、及びその動作＞＞＞＞
ディフェクトの発生後において正確なフレーム同期信号を生成すべく、ディフェクト信号の検出後に遅延して同期検出の動作を実行する。前述した図２に示すブロック図、図３のフローチャート、及び図４のタイムチャートを参照して、この同期検出の遅延動作について説明する。図３のフローチャートに沿って説明すると、前述した図２の同期回路５２において、後方保護状態にあるか否かを確認しており（図４（ｆ）の状態遷移チャート参照）、後方保護状態にあれば（Ｓ１００：ＹＥＳ）、ディフェクト信号検出回路９０からのディフェクト信号が”Ｈ”であるか否かを図２のディフェクト立ち下がり検出回路（再生信号回復タイミング検出回路）５２ｍが検出する（Ｓ２００）。すなわち、図４（ｃ）のディフェクト信号の波形図に示すように、図４（ｂ）に示す再生信号の欠落を波形が示し出すとディフェクト信号が”Ｈ”となる。もし、ディフェクト信号が”Ｈ”でなければ（Ｓ２００：ＮＯ）、同期ＩＤの検出を許可する（Ｓ８００）。この同期ＩＤとは、図２の二値化回路５２ａから得られるデータ系列中の同期コードの先頭にあるコードである。同期ＩＤの検出が許可されると（Ｓ８００）、図２の同期ＩＤ検出回路５２ｎ（同期動作を開始する回路）は、同期ＩＤを検出し、その検出結果を検出判断回路５２ｏに送る。この検出判断回路５２ｏで同期ＩＤが検出されたと判断された場合には、当該同期ＩＤが真正か否かを確認すべく、同期ＩＤ保護回路５２ｒは、所定の推定表テーブル５２ｓを参照し、順次送られてくる同期ＩＤとしての１ｓｔＩＤ及び２ｎｄＩＤの真正確認を実行する。同期ＩＤが不検出と判断された場合には、同期信号ＩＤ内挿カウンタ５２ｔにより内挿されたＩＤの値が同期信号ＩＤ生成回路５２ｕに送られ、同期信号ＩＤとなる。同期ＩＤ保護回路５２ｒにより検出されたＩＤが正しいと判断された場合、同期信号ＩＤ生成回路５２ｕは、ＩＤの値として検出されたＩＤを採用する。
【００１９】
一方、もし、ディフェクト信号が”Ｈ”であれば（Ｓ２００：ＹＥＳ）、同期ＩＤの検出を禁止し（Ｓ３００）、ディフェクト信号が”Ｌ”に至るのを待つ（Ｓ４００）。図２のディフェクト立ち下がり検出回路５２ｍによって、図４（ｃ）のディフェクト信号の波形図に示すように、ディフェクト信号が”Ｈ”から”Ｌ”へ立ち下がり（すなわち、図４（ｂ）に示す再生信号の回復）が検出されると（Ｓ４００：ＹＥＳ）、遅延カウンタ５２ｐは、フレーム同期信号が発生しているかを確認した上で、ディフェクト信号が”Ｌ”へ立ち下がってからの時間をフレーム同期信号（図４（ａ）のフレーム同期信号波形参照）に基づき、カウントアップする（Ｓ５００→Ｓ６００）。このカウントの結果が遅延用設定値（遅延カウント数）に到達したか否かを遅延判断回路５２ｑで判断し（Ｓ７００）、該遅延用設定値に至る（Ｓ７００：ＹＥＳ）と前述したＳ８００の処理に移り、同期ＩＤの検出を開始し、順次送られてくる同期ＩＤとしての１ｓｔＩＤ及び２ｎｄの真正確認を実行する。反対に、このカウントの結果が遅延用設定値に到達するまでは、前述したＳ５００乃至Ｓ７００の処理を繰り返す。
【００２０】
以上の処理により、ディフェクト信号が立ち下がってから、遅延カウンタ５２ｐのカウント値が所定の遅延用設定値に至るまで、同期ＩＤの検出を禁止する。このことにより、図４（ｆ）に示すように、図４（ｂ）の再生信号の波形がディフェクトの影響を完全に受けなくなるまで確実に立ち上がってから、同期ＩＤの検出といった同期動作を実行する。したがって、正確なフレーム同期信号を得ることができ、所望のディフェクト対応処理ができる。
【００２１】
これに対し、従来の同期方法では、図４（ｄ），図４（ｅ）の状態遷移図に示すように、図４（ｂ）の再生信号の波形が立ち上がる過渡期において同期ＩＤの検出の開始を開始してしまう。この結果、図４（ｄ）に示す１ｓｔが正しく取得できる場合と、図４（ｅ）に示す１ｓｔが誤ってしまう場合との２通りの状態が発生し、安定した同期信号を得ることができない。
【００２２】
以上、本発明の実施の形態について、その実施の形態に基づき具体的に説明したが、これに限定されるものではなく、その要旨を逸脱しない範囲で種々変更可能である。
【００２３】
【発明の効果】
正確な同期動作を実行することができ、所望のディフェクト対応処理が可能となる。
【図面の簡単な説明】
【図１】本実施の形態に係る光ディスクの記録再生装置のブロック図である。
【図２】本実施の形態に係る同期回路の具体的な構成例を示すブロック図である。
【図３】本実施の形態に係る同期検出の遅延の動作を示すフローチャートである。
【図４】本実施の形態に係る同期検出の遅延の動作を示すタイムチャートである。
【符号の説明】
１０    光ディスク
２０    ディスクモータ（スピンドルモータ）
３０    光ピックアップ
４０    ＲＦアンプ
４１    イコライザ
５０    信号処理回路
５１    ＰＬＬ
５２    同期回路
５２ｍ  ディフェクト立ち下がり検出回路（再生信号回復タイミング検出回路）
５２ｎ  同期ＩＤ検出回路（同期動作を開始する回路）
５２ｐ  遅延カウンタ
５２ｑ  遅延判断回路
６０    デジタルサーボ制御回路
７０    システム制御用ＣＰＵ
８０    ドライバ
５３    ＥＦＭ復調回路
５４ａ  ＣＤ用誤り検出訂正回路
５４ｂ  ＤＶＤ用誤り検出訂正回路
５５    バッファリングメモリ
５６    ＡＶ  Ｉ／Ｆ回路
７０    システム制御用ＣＰＵ
４２    ピークホールド回路
９０    ディフェクト信号検出回路
【図１】
2005038456.tif 000003
【図２】
2005038456.tif 000004
【図３】
2005038456.tif 000005
【図４】
2005038456.tif 000006